【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
圧力制御システムであって、
植物物質を成長させるための１つ以上のカートを含有する密封面積であって、前記１つ以上のカートは、前記密封面積内の軌道上に移動可能に支持される、密封面積と、
空気圧コントローラが前記密封面積内の空気圧を制御するように前記密封面積に動作可能に結合される空気圧コントローラと、
コントローラであって、
プロセッサと、
１つ以上の圧力レシピを記憶するデータ記憶デバイスと、
非一過性プロセッサ可読記憶媒体であって、前記非一過性プロセッサ可読記憶媒体は、その上に記憶される１つ以上のプログラミング命令を備え、前記１つ以上のプログラミング命令は、前記プロセッサによって実行されると、前記プロセッサに、
前記１つ以上のカート内の前記植物物質を識別することと、
前記データ記憶デバイスから前記識別された植物物質に関する圧力レシピを読み出すことと、
前記識別された植物物質に関する前記圧力レシピに基づいて、前記密封面積内の前記空気圧を調節するように前記空気圧コントローラに指図することと
を行わせる、非一過性プロセッサ可読記憶媒体と
を備える、コントローラと
を備える、圧力制御システム。
【請求項２】
前記密封面積を封入する第２の密封面積をさらに備え、前記空気圧コントローラはさらに、前記密封面積内の前記空気圧を制御し、前記１つ以上のプログラミング命令はさらに、前記プロセッサによって実行されると、前記プロセッサに、前記第２の密封面積の外部の環境に対して前記第２の密封面積内に正圧を維持するように前記空気圧コントローラに指図させる、請求項１に記載の圧力制御システム。
【請求項３】
入力デバイスを有するディスプレイをさらに備え、前記１つ以上のプログラミング命令はさらに、前記プロセッサによって実行されると、前記プロセッサに、
前記ディスプレイに、１つ以上のタイプの植物物質の選択可能リストを提示させることと、
前記入力デバイスを介して、前記１つ以上のタイプの植物物質のうちの１つの選択を受信することと
によって、前記１つ以上のカート内の前記植物物質を識別させる、請求項１に記載の圧力制御システム。
【請求項４】
前記１つ以上のプログラミング命令はさらに、前記プロセッサによって実行されると、前記プロセッサに、
前記ディスプレイに、前記１つ以上のタイプの植物物質のうちの前記選択された１つを成長させるための１つ以上のシミュレートされる高度範囲を提示させることであって、前記１つ以上のシミュレートされる高度範囲はそれぞれ、所定の空気圧に対応する、ことと、
前記入力デバイスを介して、前記１つ以上のシミュレートされる高度範囲のうちの１つの選択を受信することと、
前記１つ以上のシミュレートされる高度範囲のうちの前記選択された１つおよび前記１つ以上のタイプの植物物質のうちの前記選択された１つを、前記１つ以上のタイプの植物物質のうちの前記選択された１つに関する前記圧力レシピとして記憶するように前記データ記憶デバイスに指図することと
を行わせる、請求項３に記載の圧力制御システム。
【請求項５】
前記１つ以上のプログラミング命令は、前記プロセッサによって実行されると、前記プロセッサに、
前記ディスプレイに、前記１つ以上のタイプの植物物質のうちの前記選択された１つを成長させるための１つ以上のシミュレートされる地理的領域を提示させることであって、前記１つ以上のシミュレートされる地理的領域はそれぞれ、１つ以上の所定の空気圧に対応する、ことと、
前記入力デバイスを介して、前記１つ以上のシミュレートされる地理的領域のうちの１つの選択を受信することと、
前記１つ以上のシミュレートされる地理的領域のうちの前記選択された１つおよび前記１つ以上のタイプの植物物質のうちの前記選択された１つを、前記１つ以上のタイプの植物物質のうちの前記選択された１つに関する前記圧力レシピとして記憶するように前記データ記憶デバイスに指図することと
を行わせる、請求項３に記載の圧力制御システム。
【請求項６】
前記圧力レシピは、第１の持続時間にわたる第１の空気圧および第２の持続時間にわたる第２の空気圧を定義し、前記第１の空気圧は、前記第２の空気圧と等しくない、請求項１に記載の圧力制御システム。
【請求項７】
アセンブリライン成長ポッド内の空気圧を制御するための方法であって、前記方法は、
成長ポッドコンピューティングデバイスによって、１つ以上のカート内の植物物質を識別することであって、前記１つ以上のカートは、前記アセンブリライン成長ポッドの密封面積内に配置され、前記密封面積は、空気圧コントローラによって制御される前記空気圧を有する、ことと、
前記成長ポッドコンピューティングデバイスによって、データ記憶デバイスから前記識別された植物物質に対応する圧力レシピを読み出すことと、
前記成長ポッドコンピューティングデバイスによって、前記識別された植物物質に関する前記圧力レシピに基づいて、前記密封面積内の前記空気圧を調節するように前記空気圧コントローラに指図することと
を含む、方法。
【請求項８】
前記密封面積内の前記空気圧を決定することと、
前記空気圧を前記圧力レシピにおける所定の圧力と比較することと、
前記密封面積内の前記空気圧が前記所定の圧力を下回るとき、空気を前記密封面積の中に圧送するように前記空気圧コントローラに指図することと、
前記密封面積内の前記空気圧が前記所定の圧力を上回るとき、前記密封面積内の前記空気圧を減少させるように前記空気圧コントローラに指図することと
をさらに含む、請求項７に記載の方法。
【請求項９】
入力デバイスに通信可能に結合されるディスプレイに、前記１つ以上のタイプの植物物質のうちの前記選択された１つを成長させるための１つ以上のシミュレートされる高度または１つ以上のシミュレートされる地理的領域を提示させることであって、前記１つ以上のシミュレートされる高度または前記１つ以上のシミュレートされる地理的領域はそれぞれ、所定の空気圧に対応する、ことと、
前記入力デバイスを介して、前記１つ以上のシミュレートされる高度のうちの１つの選択または１つ以上のシミュレートされる地理的領域のうちの１つの選択を受信することと、
前記１つ以上のシミュレートされる高度のうちの前記選択された１つまたは前記１つ以上のシミュレートされる地理的領域のうちの前記選択された１つ、および前記１つ以上のタイプの植物物質のうちの前記選択された１つを、前記１つ以上のタイプの植物物質のうちの前記選択された１つに関する前記圧力レシピとして記憶するように前記データ記憶デバイスに指図することと
をさらに含む、請求項８に記載の方法。
【請求項１０】
前記圧力レシピに基づいて、前記密封面積内の前記空気圧を調節するように前記空気圧コントローラに指図することは、前記密封面積内の前記空気圧を第１の持続時間にわたる第１の空気圧および第２の持続時間にわたる第２の空気圧に調節するように前記空気圧コントローラに指図することを含み、前記第１の空気圧は、前記第２の空気圧と等しくない、請求項７に記載の方法。
【手続補正２】
【補正対象書類名】明細書
【補正対象項目名】０００７
【補正方法】変更
【補正の内容】
【０００７】
本明細書に説明される実施形態によって提供されるこれらおよび付加的特徴は、図面と併せて以下の詳細な説明に照らしてより完全に理解されるであろう。
本願明細書は、例えば、以下の項目も提供する。
（項目１）
圧力制御システムであって、
植物物質を成長させるための１つ以上のカートを含有する密封面積であって、前記１つ以上のカートは、前記密封面積内の軌道上に移動可能に支持される、密封面積と、
空気圧コントローラが前記密封面積内の空気圧を制御するように前記密封面積に動作可能に結合される空気圧コントローラと、
コントローラであって、
プロセッサと、
１つ以上の圧力レシピを記憶するデータ記憶デバイスと、
非一過性プロセッサ可読記憶媒体であって、前記非一過性プロセッサ可読記憶媒体は、その上に記憶される１つ以上のプログラミング命令を備え、前記１つ以上のプログラミング命令は、前記プロセッサによって実行されると、前記プロセッサに、
前記１つ以上のカート内の前記植物物質を識別することと、
前記データ記憶デバイスから前記識別された植物物質に関する圧力レシピを読み出すことと、
前記識別された植物物質に関する前記圧力レシピに基づいて、前記密封面積内の前記空気圧を調節するように前記空気圧コントローラに指図することと
を行わせる、非一過性プロセッサ可読記憶媒体と
を備える、コントローラと
を備える、圧力制御システム。
（項目２）
前記密封面積を封入する第２の密封面積をさらに備え、前記空気圧コントローラはさらに、前記密封面積内の前記空気圧を制御し、前記１つ以上のプログラミング命令はさらに、前記プロセッサによって実行されると、前記プロセッサに、前記第２の密封面積の外部の環境に対して前記第２の密封面積内に正圧を維持するように前記空気圧コントローラに指図させる、項目１に記載の圧力制御システム。
（項目３）
入力デバイスを有するディスプレイをさらに備え、前記１つ以上のプログラミング命令はさらに、前記プロセッサによって実行されると、前記プロセッサに、
前記ディスプレイに、１つ以上のタイプの植物物質の選択可能リストを提示させることと、
前記入力デバイスを介して、前記１つ以上のタイプの植物物質のうちの１つの選択を受信することと
によって、前記１つ以上のカート内の前記植物物質を識別させる、項目１に記載の圧力制御システム。
（項目４）
前記１つ以上のプログラミング命令はさらに、前記プロセッサによって実行されると、前記プロセッサに、
前記ディスプレイに、前記１つ以上のタイプの植物物質のうちの前記選択された１つを成長させるための１つ以上のシミュレートされる高度範囲を提示させることであって、前記１つ以上のシミュレートされる高度範囲はそれぞれ、所定の空気圧に対応する、ことと、
前記入力デバイスを介して、前記１つ以上のシミュレートされる高度範囲のうちの１つの選択を受信することと、
前記１つ以上のシミュレートされる高度範囲のうちの前記選択された１つおよび前記１つ以上のタイプの植物物質のうちの前記選択された１つを、前記１つ以上のタイプの植物物質のうちの前記選択された１つに関する前記圧力レシピとして記憶するように前記データ記憶デバイスに指図することと
を行わせる、項目３に記載の圧力制御システム。
（項目５）
前記１つ以上のプログラミング命令は、前記プロセッサによって実行されると、前記プロセッサに、
前記ディスプレイに、前記１つ以上のタイプの植物物質のうちの前記選択された１つを成長させるための１つ以上のシミュレートされる地理的領域を提示させることであって、前記１つ以上のシミュレートされる地理的領域はそれぞれ、１つ以上の所定の空気圧に対応する、ことと、
前記入力デバイスを介して、前記１つ以上のシミュレートされる地理的領域のうちの１つの選択を受信することと、
前記１つ以上のシミュレートされる地理的領域のうちの前記選択された１つおよび前記１つ以上のタイプの植物物質のうちの前記選択された１つを、前記１つ以上のタイプの植物物質のうちの前記選択された１つに関する前記圧力レシピとして記憶するように前記データ記憶デバイスに指図することと
を行わせる、項目３に記載の圧力制御システム。
（項目６）
前記圧力レシピは、第１の持続時間にわたる第１の空気圧および第２の持続時間にわたる第２の空気圧を定義し、前記第１の空気圧は、前記第２の空気圧と等しくない、項目１に記載の圧力制御システム。
（項目７）
前記空気圧コントローラは、空気圧減少デバイスまたは空気圧増加デバイスのうちの少なくとも１つを備え、前記空気圧減少デバイスは、前記密封面積内の前記空気圧を減少させ、前記空気圧増加デバイスは、前記密封面積内の前記空気圧を増加させる、項目１に記載の圧力制御システム。
（項目８）
アセンブリライン成長ポッド内の空気圧を制御するための方法であって、前記方法は、
成長ポッドコンピューティングデバイスによって、１つ以上のカート内の植物物質を識別することであって、前記１つ以上のカートは、前記アセンブリライン成長ポッドの密封面積内に配置され、前記密封面積は、空気圧コントローラによって制御される前記空気圧を有する、ことと、
前記成長ポッドコンピューティングデバイスによって、データ記憶デバイスから前記識別された植物物質に対応する圧力レシピを読み出すことと、
前記成長ポッドコンピューティングデバイスによって、前記識別された植物物質に関する前記圧力レシピに基づいて、前記密封面積内の前記空気圧を調節するように前記空気圧コントローラに指図することと
を含む、方法。
（項目９）
前記密封面積内の前記空気圧を決定することと、
前記空気圧を前記圧力レシピにおける所定の圧力と比較することと、
前記密封面積内の前記空気圧が前記所定の圧力を下回るとき、空気を前記密封面積の中に圧送するように前記空気圧コントローラに指図することと、
前記密封面積内の前記空気圧が前記所定の圧力を上回るとき、前記密封面積内の前記空気圧を減少させるように前記空気圧コントローラに指図することと
をさらに含む、項目８に記載の方法。
（項目１０）
前記１つ以上のカート内の前記植物物質を識別することは、
入力デバイスに通信可能に結合されるディスプレイに、１つ以上のタイプの植物物質の選択可能リストを提示させることと、
前記入力デバイスを介して、前記１つ以上のタイプの植物物質のうちの１つの選択を受信することと
を含む、項目８に記載の方法。
（項目１１）
前記ディスプレイに、前記１つ以上のタイプの植物物質のうちの前記選択された１つを成長させるための１つ以上のシミュレートされる高度を提示させることであって、前記１つ以上のシミュレートされる高度はそれぞれ、所定の空気圧に対応する、ことと、
前記入力デバイスを介して、前記１つ以上のシミュレートされる高度のうちの１つの選択を受信することと、
前記１つ以上のシミュレートされる高度のうちの前記選択された１つおよび前記１つ以上のタイプの植物物質のうちの前記選択された１つを、前記１つ以上のタイプの植物物質のうちの前記選択された１つに関する前記圧力レシピとして記憶するように前記データ記憶デバイスに指図することと
をさらに含む、項目１０に記載の方法。
（項目１２）
前記ディスプレイに、前記１つ以上のタイプの植物物質のうちの前記選択された１つを成長させるための１つ以上のシミュレートされる地理的領域を提示させることであって、前記１つ以上のシミュレートされる地理的領域はそれぞれ、１つ以上の所定の空気圧に対応する、ことと、
前記入力デバイスを介して、前記１つ以上のシミュレートされる地理的領域のうちの１つの選択を受信することと、
前記１つ以上のシミュレートされる地理的領域のうちの前記選択された１つおよび前記１つ以上のタイプの植物物質のうちの前記選択された１つを、前記１つ以上のタイプの植物物質のうちの前記選択された１つに関する前記圧力レシピとして記憶するように前記データ記憶デバイスに指図することと
を含む、項目１０に記載の方法。
（項目１３）
第２の空気圧が、第２の密封面積の外部の環境に対して正圧であるように、前記密封面積を包含する前記第２の密封面積内の前記第２の空気圧を維持するように前記空気圧コントローラに指図することをさらに含む、項目８に記載の方法。
（項目１４）
前記圧力レシピに基づいて、前記密封面積内の前記空気圧を調節するように前記空気圧コントローラに指図することは、前記密封面積内の前記空気圧を第１の持続時間にわたる第１の空気圧および第２の持続時間にわたる第２の空気圧に調節するように前記空気圧コントローラに指図することを含み、前記第１の空気圧は、前記第２の空気圧と等しくない、項目８に記載の方法。
（項目１５）
アセンブリライン成長ポッドであって、
封入体であって、前記封入体は、
内壁と、
前記内壁を包含する外壁と、
前記内壁内に画定される第１の密封面積と、
前記内壁と前記外壁との間に画定される第２の密封面積と
を備える、封入体と、
前記第１の密封面積内の軌道上に支持されるカートと、
前記第１の密封面積および前記第２の密封面積に流体的に結合される空気圧コントローラと、
前記空気圧コントローラに通信可能に結合されるコントローラであって、前記コントローラは、前記第１の密封面積および前記第２の密封面積内の空気圧を調節するために信号を前記空気圧コントローラに提供する、コントローラと
を備える、アセンブリライン成長ポッド。
（項目１６）
前記空気圧コントローラは、前記外壁の外側の外部環境に流体的に結合する、項目１５に記載のアセンブリライン成長ポッド。
（項目１７）
前記コントローラは、
プロセッサと、
１つ以上の圧力レシピを記憶するデータ記憶デバイスと、
非一過性プロセッサ可読記憶媒体であって、前記非一過性プロセッサ可読記憶媒体は、その上に記憶される１つ以上のプログラミング命令を備え、前記１つ以上のプログラミング命令は、前記プロセッサによって実行されると、前記プロセッサに、
前記カート内の植物物質を識別することと、
前記データ記憶デバイスから前記識別された植物物質に関する圧力レシピを読み出すことと、
前記識別された植物物質に関する前記圧力レシピに基づいて、前記第１の密封面積内の前記空気圧を調節するように前記空気圧コントローラに指図することと
を行わせる、非一過性プロセッサ可読記憶媒体と
を備える、項目１５に記載のアセンブリライン成長ポッド。
（項目１８）
前記コントローラに通信可能に結合されるディスプレイおよび入力デバイスであって、前記１つ以上のプログラミング命令はさらに、実行されると、前記プロセッサに、
前記ディスプレイに、前記識別された植物物質を成長させるための１つ以上のシミュレートされる高度範囲を提示させることであって、前記１つ以上のシミュレートされる高度範囲はそれぞれ、所定の空気圧に対応する、ことと、
前記入力デバイスを介して、前記１つ以上のシミュレートされる高度範囲のうちの１つの選択を受信することと、
前記１つ以上のシミュレートされる高度範囲のうちの前記選択された１つおよび前記識別された植物物質を、前記識別された植物物質に関する前記圧力レシピとして記憶するように前記データ記憶デバイスに指図することと
を行わせる、ディスプレイおよび入力デバイス
をさらに備える、項目１７に記載のアセンブリライン成長ポッド。
（項目１９）
前記コントローラに通信可能に結合されるディスプレイおよび入力デバイスであって、前記１つ以上のプログラミング命令はさらに、実行されると、前記プロセッサに、
前記ディスプレイに、前記識別された植物物質を成長させるための１つ以上のシミュレートされる地理的領域を提示させることであって、前記１つ以上のシミュレートされる地理的領域はそれぞれ、所定の空気圧に対応する、ことと、
前記入力デバイスを介して、前記１つ以上のシミュレートされる地理的領域のうちの１つの選択を受信することと、
前記１つ以上のシミュレートされる地理的領域のうちの前記選択された１つおよび前記識別された植物物質を、前記識別された植物物質に関する前記圧力レシピとして記憶するように前記データ記憶デバイスに指図することと
を行わせる、ディスプレイおよび入力デバイス
をさらに備える、項目１７に記載のアセンブリライン成長ポッド。
（項目２０）
前記コントローラは、前記空気圧コントローラに、前記外壁の外側の外部環境に対して前記第２の密封面積内の正圧を維持させる、項目１５に記載のアセンブリライン成長ポッド。